(57)【要約】      （修正有）【課題】電池接片の接触に対する信頼性を高めると共に、搭載する電池収納室の組み立て工数を減らし、電子機器本体への構設を容易にする。【解決手段】メイン回路基板２に電池出力を直接導入可能な接片部材と、電池収納室１の頂上部の一部であり、接片部材３の位置決めと保持とを行う接片保持部材４とを挿設した部組品のユニットをメイン回路基板ユニットとし、電子機器本体の一部である電池収納室にメイン回路基板ユニットをねじで取り付けることによって電池接片機構を完成させる。【選択図】図１
2009059613.tif 000002
【特許請求の範囲】
【請求項１】
交換可能な電池の電極に押接される接片部材と、該接片部材の位置決め及び固定をする接片保持部材と、電子機器の動作を制御するメイン回路基板とを有する電子機器の接片機構において、該接片部材と該接片保持部材とを付設した前記メイン回路基板を前記電子機器の本体に構設することによって、電池の収納時における電池出力をメイン回路基板に直接導入可能にしたことを特徴とする電子機器の電池接片機構。
【請求項２】
前記接片部材と前記接片保持部材とで部組品である電池接片ユニットを構成し、該電池接片ユニットを前記メイン回路基板に付設したものをメイン回路基板ユニットとして、これを本体に組み込むことによって完成可能にしたことを特徴とする請求項１記載の電池接片機構。
【発明の詳細な説明】
【技術分野】
【０００１】
電子機器の電池収納部における電池電極に接する接片の機構に関する。
【背景技術】
【０００２】
電池を電源として作動させる電子機器においては、外部から開閉可能な電池収納室によって電池交換ができるようになっていて、電池収納時には電池から本体に電力供給が可能なように、電池電極にある程度の圧力で接片を接触させる方法が採られている。
【０００３】
圧力接片としては特許文献１に示すように渦形の圧縮バネを用いるものや、特許文献２に示すように板バネを用いるものが一般的で、接片に弾性をもたせ、電子機器本体に振動が加わっても接触不良やノイズを発生させる要因を除去している。
【０００４】
電池収納室はプラスチックで成形されたものが多いが、剛性と付勢力とを有する接片の固定には強度が不足する場合が生じやすく、弾性を失うものや、電極の接触位置がずれるものがあった。さらに、接片に接続するリード線やフレキシブルプリント基板の半田付けのとき、熱でプラスチックが溶解し、接片の固定が緩む場合があった。
【０００５】
また、電池を用いる電子機器においては携帯性が求められる場合が多く、コンパクトであって、電池交換が容易なことと電池から電子機器回路に電力供給する際の電力損失を極力抑えることが必要で、設計上電池収納室と回路基板を接近させることを配慮している。例えば特許文献２では回路基板に電池接片を直に半田付けして電力損失を無くす方法を提案している。
【０００６】
しかし、特許文献２に記載の方法では電池接片が必ずしも正確に取り付けられる保証が無く、電子機器本体に対して効率良く電力を供給できるかは疑問であるし、組み立てには多くの工数が必要となる。
【特許文献１】特開２００５−３０４８５号公報
【特許文献２】特開平４−３４０２９２号公報
【発明の開示】
【発明が解決しようとする課題】
【０００７】
本発明は上記の課題に鑑みてなされたものであり、電池接片の接触に対する信頼性を高めると共に、搭載する電池収納室の組み立て工数を減らし、電子機器本体への構設を容易にすることを目的とする。
【課題を解決するための手段】
【０００８】
電子機器のメイン回路基板に電池出力を直接導入可能な複数の接片部材と、電池収納室の頂上部の一部であり、接片部材の位置決め及び固定をする接片保持部材とを挿設した部組品のユニットをメイン回路基板ユニットとし、電子機器本体の一部である電池収納室にメイン回路基板ユニットをねじで取り付けることによって電池接片機構を完成させる。
【発明の効果】
【０００９】
組み立てがユニット形式で行え、作業が簡略となるうえ、メイン回路基板に固設した接片を電池収納室内の電池電極に直接接触するので電池出力の導電効率が良く、電極に対する接片の接触位置が正確であり、電池動作の信頼性が高くなる。
【発明を実施するための最良の形態】
【００１０】
以下、図面を参照しながら本発明を実施するための最も良好な形態を説明する。
【００１１】
図１は本発明の電池接片機構を組み上げた完成斜視図で、図２は接片部材と接片保持部材の関係を示す斜視図で、図３は電池接片ユニットをメイン回路基板に挿設する方法を示す斜視図、図４はメイン回路基板ユニットと本体電池収納室を示す斜視図で、図５は機構完成状態で電池収納時の電池収納室を示す断面図である。図において同じ部材は同じ符号で示す。
【実施例】
【００１２】
実施例では、電池電極と接触する接片部材３は３個配されていて、図２に示すような形状に加工されている。すなわち導電性のバネ性板材で、先端３ａをＵ時形に曲げてこれを電池電極と接触する部分とし、曲げ部３ｂと３ｃで略直角にコの字形に曲げ、さらに曲げ部３ｄで略直角に曲げた形で、終端３ｆを後述するメイン回路基板に挿入半田付けする部分としている。また曲げ部３ｃと３ｄの間には穴３ｅが加工されている。
【００１３】
接片保持部材４には接片部材３に対してそれぞれの位置に的確に配設可能なように角穴４ａと溝４ｂがあり、上から接片部材３を挿入する形で組み込む。この途中、接片部材３の穴３ｅに接片保持部材４の突起４ｃを嵌めて固設するようになっていて、接片保持部材４に対して接片部材３の位置決めが可能であって、曲げ部３ｃと３ｄの間の部分が完全に固定される。この部組品を電池接片ユニット５としている。
【００１４】
次に電池接片ユニット５をメイン回路基板２に挿設する図が図３で、接片部材３の後端３ｆをメイン回路基板２のそれぞれ必要な位置に加工されている挿入口に挿入し、回路の銅箔ランドに半田付けする。また接片保持部材４の突起部４ｄ及び４ｅはメイン回路基板２の穴２ａ及び２ｂに挿入したうえ、穴２ｃを通してねじ穴４ｆに基板ねじ６で締め付け固定する。これによって、メイン回路基板２に対して電池接片ユニット５が挿設されることになる。これをメイン回路基板ユニット７としている。
【００１５】
図４にはメイン回路基板２に電池接片ユニット５を挿設したメイン回路基板ユニット７を示してあるが、このメイン回路基板ユニット７を電子機器本体の一部である電池収納室１に取り付けることで電池接片機構が完成する。
【００１６】
すなわち電池収納室１にメイン回路基板ユニット７を取り付ける方法は、接片保持部材４の突出部４ｇを電池収納室１の溝１ｂに差し込み後、メイン回路基板２の穴２ｄと電池収納室１のねじ穴１ａとを合わせ、図示しない取り付けねじで締結して完成する。これが図１に示す電池接片機構の完成図である。
【００１７】
電池接片機構の電池収納室１での断面図が図５で、電池８を収納した状態を示している。これによれば、電池電極８ａに対して正確な位置で接片部材３の先端３ａが付勢状態で圧接している様子が解かる。
【００１８】
本発明では接片部材３の電池電極に対する位置決めと付勢を確実なものにするために接片部材３を接片保持部材４に取り付けて、これを電池接片ユニット５とし、さらにこれをメイン回路基板２に取り付けてメイン回路基板ユニット７として、電子機器本体の一部である電池収納室１に取り付けて完成させるユニット式組み立て機構によって、性能が保証された上に組み立てが容易になる効果が得られる。
【図面の簡単な説明】
【００１９】
【図１】本発明の電池接片機構を組み上げた完成斜視図である。
【図２】電池接片ユニットの組図を示す斜視図である。
【図３】電池接片ユニットをメイン回路基板に挿設する方法を示す斜視図である。
【図４】メイン回路基板ユニットとこれを組み付ける電池収納室を示す斜視図である。
【図５】電池収納時における電池収納室の断面図である。
【符号の説明】
【００２０】
１  電池収納室
２  メイン回路基板
３  接片部材
４  接片保持部材
５  電池接片ユニット
６  基板ねじ
７  メイン回路基板ユニット
８  電池
【図１】
2009059613.tif 000003
【図２】
2009059613.tif 000004
【図３】
2009059613.tif 000005
【図４】
2009059613.tif 000006
【図５】
2009059613.tif 000007